(57)【要約】【課題】ストロー飲み口から飲用する際には吸引がしやすく、容易に液漏れせず、清掃時の部品取り扱いが容易になるようにした飲料容器と、飲み口付蓋体を提供すること。【解決手段】容器本体１１とアダプター２０と、該アダプターの上部を開閉可能とするフード２１とを有し、前記アダプターが、ストローを挿通するためのストロー孔２３と、前記容器本体と外気とを連絡する通気孔４１と、ストロー飲み口２４とを備えており、前記フード２１は、閉止状態で前記ストロー飲み口を屈曲して収容して該飲み口を閉止し、該ストロー飲み口の外面を前記通気孔４１に当接させて、該通気孔を塞ぐようにされ、前記ストロー飲み口２４が、前記アダプターの前記容器本体側に当接される座板部と、該座板部から長く延びており、前記容器本体側から前記ストロー孔に対して挿通される飲み口本体とを有し、座板部と一体に形成されて前記通気孔を覆う弁体２８を備える通気弁を設けた。【選択図】        図１
2006347580.tif 000002
【特許請求の範囲】
【請求項１】
上方に開放した開口部を有し、内部に飲料を収容する容器本体と、前記開口部を着脱可能に覆うアダプターと、該アダプターに取付けられ、該アダプターの上部を開閉可能とするフードとを有する飲料容器であって、
前記アダプターが、
少なくともストローを挿通するためのストロー孔と、前記容器本体と外気とを連絡する通気孔と、
該ストロー孔に装着され、屈曲可能で弾性を有する柔軟な材料で形成されたストロー飲み口と
を備えており、
前記フードは、閉止状態で前記ストロー飲み口を屈曲して収容することにより、該飲み口を閉止するとともに、該ストロー飲み口の外面を前記通気孔に当接させることにより、該通気孔を塞ぐようにされており、
前記ストロー飲み口が、
前記アダプターの前記容器本体側に当接される座板部と、
該座板部から長く延びており、前記容器本体側から、前記ストロー孔に対して挿通される飲み口本体とを有していて、
さらに、前記座板部には、該座板部と一体に形成されて前記通気孔を覆う弁体を備える通気弁を設けたことを特徴とする飲料容器。
【請求項２】
上方に開放した開口部を有し、内部に飲料を収容する容器本体と、前記開口部を着脱可能に覆うアダプターと、該アダプターに取付けられ、該アダプターの上部を開閉可能とするフードとを有する飲料容器であって、
前記アダプターが、
少なくともストローを挿通するためのストロー孔と、前記容器本体と外気とを連絡する通気孔と、
該ストロー孔に装着され、屈曲可能で弾性を有する柔軟な材料で形成されたストロー飲み口と
を備えており、
前記フードは、閉止状態で前記ストロー飲み口を屈曲して収容することにより、該飲み口を閉止するとともに、該ストロー飲み口の外面を前記通気孔に当接させることにより、該通気孔を塞ぐようにされており、
前記容器本体の前記開口部の周縁と、該容器本体と着脱される前記アダプターとの間には、パッキン部材が介在され、
該パッキン部材には、これと一体に形成されて前記通気孔を覆う弁体を備える通気弁を設けたことを特徴とする飲料容器。
【請求項３】
上方に開放した開口部を有し、内部に飲料を収容する容器本体の前記開口部に着脱されることで該開口部を覆うアダプターと、該アダプターに取付けられ、該アダプターの上部を開閉可能とするフードとを有する飲み口付蓋体であって、
前記アダプターが、
少なくともストローを挿通するためのストロー孔と、前記容器本体と外気とを連絡する通気孔と、
該ストロー孔に装着され、屈曲可能で弾性を有する柔軟な材料で形成されたストロー飲み口と
を備えており、
前記フードは、閉止状態で前記ストロー飲み口を屈曲して収容することにより、該飲み口を閉止するとともに、該ストロー飲み口の外面を前記通気孔に当接させることにより、該通気孔を塞ぐようにされており、
前記ストロー飲み口が、
前記アダプターの前記容器本体側に当接される座板部と、
該座板部から長く延びており、前記容器本体側から、前記ストロー孔に対して挿通される飲み口本体とを有していて、
さらに、前記座板部には、該座板部と一体に形成されて前記通気孔を覆う弁体を備える通気弁を設けたことを特徴とする飲み口付蓋体。
【請求項４】
上方に開放した開口部を有し、内部に飲料を収容する容器本体の前記開口部に着脱されることで該開口部を覆うアダプターと、該アダプターに取付けられ、該アダプターの上部を開閉可能とするフードとを有する飲み口付蓋体であって、
前記アダプターが、
少なくともストローを挿通するためのストロー孔と、前記容器本体と外気とを連絡する通気孔と、
該ストロー孔に装着され、屈曲可能で弾性を有する柔軟な材料で形成されたストロー飲み口と
を備えており、
前記フードは、閉止状態で前記ストロー飲み口を屈曲して収容することにより、該飲み口を閉止するとともに、該ストロー飲み口の外面を前記通気孔に当接させることにより、該通気孔を塞ぐようにされており、
前記容器本体の前記開口部の周縁と、該容器本体と着脱される前記アダプターとの間には、パッキン部材が介在され、
該パッキン部材には、これと一体に形成されて前記通気孔を覆う弁体を備える通気弁を設けたことを特徴とする飲み口付蓋体。
【発明の詳細な説明】
【技術分野】
【０００１】
本発明は、飲料を収容するための飲料容器および容器本体に着脱可能な飲み口付蓋体の改良に関するものである。
【背景技術】
【０００２】
従来より、乳幼児等が使用する飲料容器は、飲料を収容する本体と、この本体内の飲料を飲むためのストロー飲み口を有しており、保持の便宜のための取っ手などを備えているものもある。
そして、このような飲料容器は、清潔に使用するための日常の洗浄や、発達に応じて一部部品の取り替えが可能なように、少なくとも一部の部品が分解可能な構成となっており、さらに使用者において比較的容易に組立可能な構成となっている。
また、このよう分解組立可能な構成に基づいて、容器本体に着脱される容器本体以外の部分である飲み口付蓋体は、この種の飲料容器の中心的構成でもあり、この部分だけが所謂ペットボトル等の既存のボトルとともに使用される場合もある。
【０００３】
このような飲料容器においては、上端からストロー飲み口が突出されていて、不使用時には、このストロー飲み口を蓋体のフードなどで、内側に折り込む構成としたものがある（特許文献１参照）。
また、このような飲料容器では、容器本体を塞ぐ飲み口付きのアダプターもしくは蓋体に、ストロー飲み口を挿通するための挿通孔以外に、飲用時に容器本体内部と外部とを通気するための通気孔を設けており、飲用によって、容器内部が負圧となり飲用の妨げになることを回避するようにしている。
【０００４】
そして、上記特許文献１の飲料容器では、不使用時には、曲折したストロー飲み口を蓋体（フード）の内側に収容しつつ、曲折したストロー飲み口の外面を上記通気孔に押し当てて、該通気孔を塞ぐという構成が採用されており、このような構成は多くのストロー飲み口方式の飲料容器で採用されている。
また、容器本体の内圧が低くなった時に通気し、飲料容器を多少傾けても液体がこぼれることを防止するように、通気孔に弁体を設ける例も知られている（特許文献２、図６および段落００２５参照）。
【０００５】
【特許文献１】実公平１−２７６９７号公報
【特許文献２】特開２０００−２３８８２１号公報
【発明の開示】
【発明が解決しようとする課題】
【０００６】
しかし、特許文献２のように、通気孔を開閉する弁体を設ける場合には、通気孔が小さいため、該弁体はきわめて小さい。
一方、この種の飲料容器は、上述したように、清潔に使用するためにも、部品は分解して洗浄されることから、あまりに小さな部品を用いると、取り扱いに不便であり、紛失しやすく、乳幼児に使用する場合には、部品の誤嚥等の恐れがある。
【０００７】
本発明は上述の課題を解決するためになされたもので、ストロー飲み口から飲用する際には吸引がしやすく、傾けても容易に液漏れせず、清掃時の部品取り扱いが容易になるようにした飲料容器と、飲み口付蓋体を提供することをとする。
【課題を解決するための手段】
【０００８】
上記目的は、請求項１の発明にあっては、上方に開放した開口部を有し、内部に飲料を収容する容器本体と、前記開口部を着脱可能に覆うアダプターと、該アダプターに取付けられ、該アダプターの上部を開閉可能とするフードとを有する飲料容器であって、前記アダプターが、少なくともストローを挿通するためのストロー孔と、前記容器本体と外気とを連絡する通気孔と、該ストロー孔に装着され、屈曲可能で弾性を有する柔軟な材料で形成されたストロー飲み口とを備えており、前記フードは、閉止状態で前記ストロー飲み口を屈曲して収容することにより、該飲み口を閉止するとともに、該ストロー飲み口の外面を前記通気孔に当接させることにより、該通気孔を塞ぐようにされており、前記ストロー飲み口が、前記アダプターの前記容器本体側に当接される座板部と、該座板部から長く延びており、前記容器本体側から、前記ストロー孔に対して挿通される飲み口本体とを有していて、さらに、前記座板部には、該座板部と一体に形成されて前記通気孔を覆う弁体を備える通気弁を設けた飲料容器により、達成される。
【０００９】
第１の発明の構成によれば、容器本体に着脱されるアダプターにはフードが設けられており、このフードが開閉操作される。フードが開いている際には、アダプターからストロー飲み口が起立状態で露出しており、これをくわえて吸引することで、容器本体に収容した飲料が飲用できる。
フードを閉じるとその内側に前記ストロー飲み口が屈曲して収容される。この際にストロー飲み口の外面がアダプターに設けた通気孔に当接される。これにより、フードを閉じた状態において容器本体内の液体が外部に漏れることはない。
また、前記通気孔には弁体が設けられ、容器本体内の圧力が低くならなければ該弁体は開かないので、使用中に容器を傾けても通気孔から容易に液体がこぼれることがないだけでなく、容器が倒れた際にストロー飲み口からも漏れ出しにくい。
ここで、該弁体は、前記ストロー飲み口（部材）の座板部が延長されて、これと一体に設けられたものであるから、ある程度の大きさを有しており、洗浄などの際に部品に分解した場合にも、小さすぎて紛失したり、扱いにくいほど小さくなってしますということがなく、取り扱いに便利であるとともに、乳幼児の誤嚥等の危険を防ぐことができる。
かくして、ストロー飲み口から飲用する際には吸引がしやすく、容易に液漏れせず、清掃時の部品取り扱いが容易になるようにした飲料容器を提供することができる。
【００１０】
また、上記目的は、第２の発明にあっては、上方に開放した開口部を有し、内部に飲料を収容する容器本体と、前記開口部を着脱可能に覆うアダプターと、該アダプターに取付けられ、該アダプターの上部を開閉可能とするフードとを有する飲料容器であって、前記アダプターが、少なくともストローを挿通するためのストロー孔と、前記容器本体と外気とを連絡する通気孔と、該ストロー孔に装着され、屈曲可能で弾性を有する柔軟な材料で形成されたストロー飲み口とを備えており、前記フードは、閉止状態で前記ストロー飲み口を屈曲して収容することにより、該飲み口を閉止するとともに、該ストロー飲み口の外面を前記通気孔に当接させることにより、該通気孔を塞ぐようにされており、前記容器本体の前記開口部の周縁と、該容器本体と着脱される前記アダプターとの間には、パッキン部材が介在され、該パッキン部材には、これと一体に形成されて前記通気孔を覆う弁体を備える通気弁を設けた飲料容器により、達成される。
【００１１】
第２の発明の構成によれば、第１の発明とほぼ同様にフードを閉じた状態で容器本体内の液体が漏れず、しかも使用中等に容器本体内の液体がこぼれることが防止される。
ここで、前記弁体は、前記容器本体の前記開口部の周縁と、該容器本体と着脱される前記アダプターとの間のパッキン部材が延長されて、これと一体に設けられたものであるから、ある程度の大きさを有しており、洗浄などの際に部品に分解した場合にも、小さすぎて紛失したり、扱いにくいほど小さくなってしますということがなく、取り扱いに便利であるとともに、乳幼児の誤嚥等の危険を防ぐことができる。
【００１２】
さらに、上記目的は、第３の発明にあっては、上方に開放した開口部を有し、内部に飲料を収容する容器本体の前記開口部に着脱されることで該開口部を覆うアダプターと、該アダプターに取付けられ、該アダプターの上部を開閉可能とするフードとを有する飲み口付蓋体であって、前記アダプターが、少なくともストローを挿通するためのストロー孔と、前記容器本体と外気とを連絡する通気孔と、該ストロー孔に装着され、屈曲可能で弾性を有する柔軟な材料で形成されたストロー飲み口とを備えており、前記フードは、閉止状態で前記ストロー飲み口を屈曲して収容することにより、該飲み口を閉止するとともに、該ストロー飲み口の外面を前記通気孔に当接させることにより、該通気孔を塞ぐようにされており、前記ストロー飲み口が、前記アダプターの前記容器本体側に当接される座板部と、該座板部から長く延びており、前記容器本体側から、前記ストロー孔に対して挿通される飲み口本体とを有していて、さらに、前記座板部には、該座板部と一体に形成されて前記通気孔を覆う弁体を備える通気弁を設けた飲み口付蓋体により、達成される。
【００１３】
第３の発明の構成によれば、第１の発明のアダプターとほぼ同じ構成により、飲み口付蓋体を構成している。そして、この飲み口付蓋体を使用すれば、飲料が充填された任意のボトル状容器などに装着するだけで、第１の発明の飲料容器を得ることができる。
【００１４】
さらに、上記目的は、第４の発明にあっては、上方に開放した開口部を有し、内部に飲料を収容する容器本体の前記開口部に着脱されることで該開口部を覆うアダプターと、該アダプターに取付けられ、該アダプターの上部を開閉可能とするフードとを有する飲み口付蓋体であって、前記アダプターが、少なくともストローを挿通するためのストロー孔と、前記容器本体と外気とを連絡する通気孔と、該ストロー孔に装着され、屈曲可能で弾性を有する柔軟な材料で形成されたストロー飲み口とを備えており、前記フードは、閉止状態で前記ストロー飲み口を屈曲して収容することにより、該飲み口を閉止するとともに、該ストロー飲み口の外面を前記通気孔に当接させることにより、該通気孔を塞ぐようにされており、前記容器本体の前記開口部の周縁と、該容器本体と着脱される前記アダプターとの間には、パッキン部材が介在され、該パッキン部材には、これと一体に形成されて前記通気孔を覆う弁体を備える通気弁を設けた飲み口付蓋体により、達成される。
【００１５】
第４の発明の構成によれば、第２の発明のアダプターとほぼ同じ構成により、飲み口付蓋体を構成している。そして、この飲み口付蓋体を使用すれば、飲料が充填された任意のボトル状容器などに装着するだけで、第２の発明の飲料容器を得ることができる。
【発明を実施するための最良の形態】
【００１６】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
図１および図２は、本発明の実施形態に係る飲料容器の全体を示しており、図１は飲料容器の蓋を開いた状態の概略斜視図、図２は飲料容器の概略断面図である。
飲料容器１０は、図３に示すように、上面に開口部１１ａを有し、内部に飲料を収容することができる容器本体１１を備えている。容器本体１１は、ガラスやポリプロピレン、ポリカーボネート、ポリエーテルスルフォン、ポリエチレンテレフタレート、アルミ、ステンレス等よりなる合成樹脂や金属の成形品で形成することができる。
この実施形態では、容器本体１１は、例えば合成樹脂のブロー成形により形成されている。なお、その他開口部１１ａの口径が容器本体１１と略同等とされたインジェクション成形等で形成しても良い。
【００１８】
図２に示すように、容器本体１１は、上部が開いた大きな開口１１ａを備えることにより、内部に粉末ミルクなどをいれて調乳したり、飲料を注ぎ入れたりする場合に適しており、さらに、洗浄などの作業が容易になるようにされている。開口部１１ａの外周にはネジ部１１ｂが形成されていて、アダプター２０と着脱されるよう係合手段がそれぞれ設けられている。アダプター２０は例えば合成樹脂の成形品等で形成されている。
また、容器本体１１の上端と、アダプター２０の底面側に設けた下向き段部の間には、パッキン６１が介挿されている。パッキン６１については後で詳しく説明する。
【００１９】
好ましくは、飲料容器１０は、容器本体１１とアダプター２０との間に挟み込んで保持されるハンドルを備えており、ハンドルは容器本体の上端付近でその周囲に水平に配置されるリング状の本体１２と本体１２から互いに対角の位置にて外方に突出し、湾曲しながら下方に向かう一対の取っ手１３，１３を備えている。
なお、図２に示す取っ手１３，１３の位置は、図１と異なるが、図２は理解の便宜のため、容器本体１１に周囲において、ハンドルの本体１２の本来位置とは周方向に９０度異なる位置に示したものであり、図１の位置が正しい。
また、取っ手１３，１３の符号１３ａ，１４ａで示す部分は例えば２色成形等の一体成形により、他の領域と異なる柔軟な材料などにより形成した把持しやすい事を目的とした滑り止め部である。また、容器本体１１の底部の外面１１ａは表面に僅かな凹凸が現れるよう成形されており、容器本体１１を載置した際における滑り止め部として機能する。もちろん、底部外面１１ａを取っ手１３同様に２色成形で形成する等、適宜組み合わせて採用できる。
【００２０】
アダプター２０は、扁平な円盤状の部材であり、その上端であって、一側に寄った箇所には、支軸２２が設けられて、該支軸２２により図２の矢印Ｒに示す方向に回動されることで開閉できるようにしたフード２１が設けられている。フード２１は本実施形態では、ドーム状の形態であり、アダプター２０の上部を開閉する。
【００２１】
アダプター２０の上面は支軸２２側から他側に向かってやや下降するように、傾斜する上端面２７により塞がれている。この上端面２７には図２で示す挿通孔２３が形成されている。この挿通孔２３にはストロー飲み口２４の先端部２６が内側に挿通されている。さらに、アダプター２０の上端面２７には、挿通孔２３を挟んで、上記支軸２２と反対より、即ち挿通孔２３よりも使用者側の位置に通気孔４１が設けられている。
【００２２】
上端面２７から上方に露出するストロー飲み口２４の上端部２６は、通気孔４１の方向に僅かに倒れるように傾斜して延びている。
すなわち、通気孔４１は周囲が上端面２７よりも上方にやや隆起した隆起部４１ａとされて上方に開口するとともに、図２に示すように容器本体１１側は上端面２７の裏面で下方に突出したダボ４１ｂとされている。
また、フード２１の自由端先端には、該フード２１を図２に示すように閉じた際に、上端面２７の対応する側縁に形成した係合凸部４３に対して係合する係合手段としての係合爪４２が設けられている。また、フード２１の内面には図２において、通気孔４１に向かって延びる折り壁２０ａが形成されている。この折り壁２０ａの先端部における略中央領域は位置決め凹部２０ｂとされている。
【００２３】
上記ストロー飲み口２４は、図３におけるストロー飲み口部材５０により形成されている。ストロー飲み口部材５１は、基部となる水平に広い面積を備え、厚みを調整するなどして比較的剛性を備えた座板部２５と、この座板部２５が水平方向の一側に向かって延長された箇所で、上方に延びるストロー状の柔軟で弾性を備えた先端部２６と、この先端部２６と連通し、座板部２５の下方に延長された円筒状の比較的剛性を備えた基部２９とが一体に形成されている。ストロー飲み口部材５１は、柔軟で弾性を備える材料として、例えば、シリコーンやエラストマーなどにより形成されている。
【００２４】
図２に示すように座板部２５の上方には係合部２５ａが形成されており挿通孔２３を乗り越えて挟んで全周を覆うように構成されている。また、基部２９には柔軟なチューブ３１が接続されて、容器本体１１内の底部における使用者側付近まで延びており、容器本体１１内の液体の水位が底部付近まで低下した状態で傾けて使用しても吸い上げることができるようになっている。
さらに、座板部２５は一方に延長されており、延長された部分には、下方に向かってやや突出する有底とされた円筒状の保持部４４を有している。該保持部４４の下端は同じ材料で薄膜を形成し、該薄膜にスリットを設けることで形成された開閉弁等を設けることで通気弁として機能する弁体２８とされている。
図２に示すように、この保持部４４には、その上端開口から通気孔４１のダボ４１ｂが嵌入されて弁体以外の箇所がシールされている。
【００２５】
本実施形態の飲料容器１０は以上のように構成されており、以下の作用効果を発揮することができる。
容器本体１１に着脱されるアダプター２０にはフード２１が設けられており、このフード２１が図１の開き状態から、図２の閉止状態への閉止動作、あるいは、その逆に、図２の閉止状態から図１の開き状態への開き動作を行うことができる。
【００２６】
図１に示されているように、フード２１が開いている際には、アダプター２０からストロー飲み口２４の先端部２６が起立状態で露出しており、使用者（図示せず）は、これをくわえて吸引することで、容器本体１１に収容した飲料が飲用できる。
フード２１を図２のように閉じると、フード２１の内側にストロー飲み口の先端部２６が当たる。具体的には、フード２１の係止爪４２側の内壁面に先端部２６の先端が当接し、フード２１の折り壁２０ａが先端部２６の側面に当たって、これを強制的に押し下げるから、下向きに屈曲される。先端部は屈曲し、潰された状態となって、フード２１を完全に閉止すると、その内側に先端部２６は屈曲状態で収容される。この際に、ストロー飲み口２４の先端部２６外面の折り壁２０ａが当接した箇所と反対の箇所が、通気孔４１に当接される。つまり、折り壁２０ａの先端と通気孔４１の外面はフード２１の閉止状態では対向する位置に形成されている。これにより、フード２１を閉じた状態においては通気孔４１が完全に密閉されるから、容器本体１１内の液体が外部に漏れることはない。
【００２７】
ここで、通気孔４１は、図２で説明したように、上端面２７から上方に向かって僅かに突出した隆起部４１ａ天面の略中央部に開口しているので、ここに柔軟な材料でなるストロー飲み口２４の先端部２６の外面が潰されながら当たることで、好適に密閉されるように構成したので、確実に密閉可能となる。しかも、通気孔４１の逆側の端部には弁体２８が形成されているため、通気孔４１からの漏れを防いでいる。
【００２８】
さらに、図１にようにフード２１を開いて飲用している状態、もしくは吸引していないが、飲用の準備の状態となっている際に、上端面２７に開いた通気孔４１は、その内部において、図２や図３で説明した弁体２８を備えている。
これにより、この状態においても容器本体１１内の圧力が低くならなければ該弁体２８は開かないので、この状態で飲料容器１０を傾けたりしても、容易に内部の飲料がこぼれることがない。しかも、例えば熱湯を入れて撹拌してしまい、容器本体１１内の圧力が高くなった場合でも、弁体２８から圧力が抜け、不用意に噴出することもない。
【００２９】
この実施形態においては、上記した弁体２８は、図３で説明したように、ストロー飲み口（部材）２４の座板部２５が延長されて、これと一体に設けられたものである。したがって、図３に示すように飲み口部材５１としてある程度の大きさを有しており、洗浄などの際に部品に分解した場合にも、小さすぎて紛失したり、扱いにくいほど小さくなってしますということがなく、取り扱いに便利である。
このように、本実施形態によれば、ストロー飲み口２４を利用して飲用する際には吸引がしやすく、傾けたり倒れても容易に液漏れせず、清掃時の部品取り扱いが容易になるようにした飲料容器１０を提供することができる。
【００３０】
図４は、変形例を示しており、上記とは別の部材に通気孔の弁体を設けた例である。
すなわち、弁体をストロー飲み口（部材）に一体に形成する代わりに、該弁体を図２で説明したパッキン部材６１に設けた場合のパッキン６１−１を示している。
このパッキン６１−１は、柔軟で弾性のある材料として、例えば、シリコーンやエラストマーなどの弾性体で形成されており、容器本体１１の開口とほぼ一致する径のリング状の基本形態を備えている。
【００３１】
また、パッキン６１−１のリング内側を、内方に向かって山形に延長した延長部６２を設ける。つまり、パッキン６１−１から通気孔４１までの距離に応じて一方向に延長された部分を形成し、この延長部６２の下面から下方に向かって延びる円筒状の保持部６３とされており、下端部には弁体６４が形成されている。すなわち、図２で説明したストロー飲み口２４に一体に設けた弁体２８とその周囲の保持部４４などの構造と同じものがパッキン６１−１の内側に形成されている。したがって、このパッキン６１−１の保持部６３内にも、図２で説明したようにアダプター２０側のダボ４１ｂを嵌入し、パッキン６１−１自体をアダプター２０内面に設けられた収容凹部４６に装着することにより、アダプターに保持された状態で弁体として、上述した適切な機能を発揮することができる。
【００３２】
また、これにより、弁体６４は、図４で説明したように、パッキン６１−１のリング状部分の一部が延長されて、これと一体に設けられたものである。したがって、図４に示すようにパッキン６１−１としてある程度の大きさを有しており、洗浄などの際に部品に分解した場合にも、小さすぎて紛失したり、扱いにくいほど小さくなってしまうということがなく、取り扱いに便利である。
【００３３】
さらに、本発明の飲料容器のアダプター２０は、例えば、その径寸法を小さくすることにより、細口のボトル（図示せず）の開口付近に取り付けて、飲み口付蓋体として使用することもできる。
すなわち、アダプター２０はフード２１を備えていることから、これがボトルや汎用の液体容器などに取付けられることで、これらについての飲み口付蓋体として機能することができる。この場合、汎用のもしくは既製のボトルとこの飲み口付蓋体とが一体となって、本発明の飲料容器を構成することになる。
なお、上記した細口のボトルとは、例えば、特許文献２の図１に示されている飲料容器のようなものであり、あらかじめ飲料等が収容された飲料ボトル等である。
【００３４】
本発明は上述の各実施形態に限定されない。例えば、通気孔４１の凸部であるダボ４１ｂと弁体２８の凹部である保持部４４，６３で取り付けるのではなく、凹凸の関係を逆転したり、他の係合部を形成して係合するよう構成しても良い。また、フード２１の一方に偏心した支軸２２を中心とした回動によって先端部２６を屈曲させるのではなく、フード２１をアダプター２０の天面に沿って相対的にスライド状に移動させることで、フード部を開閉するよう構成しても良い。上述の各実施形態における各構成は、必要により、その一部を省略したり、他の構成と入れ換えて、異なる構成の組み合わせのもとで実施されてもよい。
【図面の簡単な説明】
【００３５】
【図１】本発明の実施形態にかかる飲料容器の概略斜視図。
【図２】図１の飲料容器の概略断面図。
【図３】図１の飲料容器のストロー飲み口部材の概略構成図。
【図４】図１の飲料容器のパッキンの構成例を示す概略斜視図。
【符号の説明】
【００３６】
１０・・・飲料容器、１１・・・容器本体、１３，１３・・・取っ手、２０・・・アダプター、２１・・・フード、２４・・・ストロー飲み口、２８・・・弁体、４１・・・通気孔
【図１】
2006347580.tif 000003
【図２】
2006347580.tif 000004
【図３】
2006347580.tif 000005
【図４】
2006347580.tif 000006